【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
円柱形かつ軸方向に異なる極性である磁極の柱形磁石、及び、柱形磁石（１０７）の外部で柱形磁石（１０７）を覆う外側導磁体（１０８）を備え、両者をモーションブロックアセンブリ（１０６）に結合し、かつ同軸心に隣り合って配置し、磁路を構成することにより、同期に軸方向に変位させ、柱形磁石の外径は外側導磁体の内径より小さく、また一つの環状隙間を持ち、環状の発電コイルを通過させ、二者が軸方向に往復する相対的に軸方向に変位振動するとき、レンツの法則の効果により、環状の発電コイルが電気エネルギーを作り、更に整流充電回路を経て電気エネルギーを蓄電装置に貯蔵し、また電気エネルギーの入出力インタフェースとする蓄電装置の正極の入出力端及び負極の入出力端を設置し、
ハウジング（１００）は、弱導磁性および弱導電性材料により構成され、中空の円筒形を呈し、かつ内部の一端は内部に向かって一つの環状巻線コネクタ（１０１）を延伸し、その末端は延伸して環状の発電コイル（１０４）と連結し、その環状巻線コネクタ（１０１）とハウジング（１００）の内孔との間に環状空間（１０３）を備え、環状巻線コネクタ（１０１）の中心に円孔状空間（１０２）を備え、環状の発電コイル（１０４）に出力導線（１０５）を設けることにより、環状の発電コイル（１０４）の発電電気エネルギーを整流充電回路（３００）へ伝送し、更に整流充電回路（３００）の出力端により蓄電装置（３１０）の陽極端へ伝送し、また蓄電装置（３１０）の正極端によりハウジング（１００）に設置される正極の入出力端（４１０）と負極の入出力端（４２０）へ伝送し、
モーションブロックアセンブリ（１０６）は、弱導磁性および弱導電性材料により構成され、モーションブロックのカップ構造（１１０）を備え、外側導磁体（１０８）と結合し、モーションブロックのカップ構造（１１０）の中にモーションブロックの中柱（１０９）と結合する柱形磁石（１０７）を設け、かつモーションブロックの中柱（１０９）の周りはモーションブロックのカップ構造（１１０）とモーションブロック内部の環状空間（１１１）を形成することにより、環状の発電コイル（１０４）と環状巻線コネクタ（１０１）を相対的に軸方向に変位させ、かつ環状巻線コネクタ（１０１）の円孔状空間（１０２）と柱形磁石（１０７）、モーションブロックの中柱（１０９）を相対的に軸方向に変位させ、
環状巻線コネクタ（１０１）の円孔状空間（１０２）とハウジング（１００）内壁との間に第一バッファー体（１１２）を設置し、モーションブロックアセンブリ（１０６）の中心柱体（１０９）と柱形磁石（１０７）と外側導磁体（１０８）が軸方向に変位するとき、緩衝し、
上述した柱形磁石（１０７）は外側導磁体（１０８）が軸方向に往復振動し、環状の発電コイル（１０４）を通過するとき、環状の発電コイル（１０４）が発電効果を発揮し、
整流充電回路（３００）は、環状の発電コイル（１０４）の発電電気エネルギーを整流し、蓄電装置（３１０）に対して電気エネルギーを注入する回路装置であり、電気機械や固体電子素子や整流装置により構成され、
蓄電装置（３１０）は、充放電可能な二次電池またはスパーキャパシタまたはコンデンサにより構成され、整流充電回路（３００）から来る電気エネルギーを貯蔵し、または正極の入出力端（４１０）や負極の入出力端（４２０）により電気エネルギーを入力し、
正極の入出力端（４１０）は、ターミナルヘッド、端子、プラグ、または、ソケットにより構成され、ハウジング（１００）に設置され、整流充電回路（３００）の正極端に接続され、外部に対して出力し、または電気エネルギーを入力し、
負極の入出力端（４２０）は、ターミナルヘッド、端子、プラグ、または、ソケットにより構成され、ハウジング（１００）に設置され、整流充電回路（３００）の負極端に接続され、外部に対して出力し、または電気エネルギーを入力し、
ハウジング（１００）のハウジング内部の円筒空間（１１４）とモーションブロックアセンブリ（１０６）の周辺を相対的に軸方向に変位させ、かつモーションブロックアセンブリ（１０６）とハウジング（１００）の内部にある円筒空間（１１４）に内壁との間に第二バッファー体（１１３）を設置し、モーションブロックアセンブリ（１０６）が軸方向に変位するとき、緩衝することを特徴とするインナーポストと外環状磁気モーションブロックを備える振動発電可能な蓄電装置。
【請求項２】
環状の発電コイル（１０４）内部で柱形磁石（１０７）とカップリングし、環状の発電コイル（１０４）の外部で柱形磁石（１０７）と相対的に同じ極性である外側磁石（１１７）の蓄電装置とカップリングし、
ハウジング（１００）は、弱導磁性および弱導電性材料により構成され、中空の円筒形を呈し、かつ内部の一端は内部に向かって一つの環状巻線コネクタ（１０１）を延伸し、その末端は延伸して環状の発電コイル（１０４）と連結し、その環状巻線コネクタ（１０１）とハウジング（１００）の内孔との間に環状空間（１０３）を備え、環状巻線コネクタ（１０１）の中心に円孔状空間（１０２）を備え、環状の発電コイル（１０４）に出力導線（１０５）を設けることにより、環状の発電コイル（１０４）の発電電気エネルギーを整流充電回路（３００）へ伝送し、更に整流充電回路（３００）の出力端により蓄電装置（３１０）の陽極端へ伝送し、また蓄電装置（３１０）の正極端によりハウジング（１００）に設置される正極の入出力端（４１０）と負極の入出力端（４２０）へ伝送し、
モーションブロックアセンブリ（１０６）は、弱導磁性および弱導電性材料により構成され、モーションブロックのカップ構造（１１０）を備え、外側磁石（１１７）と結合し、モーションブロックのカップ構造（１１０）の中にモーションブロックの中柱（１０９）と結合する柱形磁石（１０７）を設け、かつモーションブロックの中柱（１０９）の周りはモーションブロックのカップ構造（１１０）とモーションブロック内部の環状空間（１１１）を形成することにより、環状の発電コイル（１０４）と環状巻線コネクタ（１０１）を相対的に軸方向に変位させ、かつ環状巻線コネクタ（１０１）の円孔状空間（１０２）と柱形磁石（１０７）とモーションブロックの中柱（１０９）を相対的に軸方向に変位させ、
環状巻線コネクタ（１０１）の円孔状空間（１０２）とハウジング（１００）内壁との間に第一バッファー体（１１２）を設置し、モーションブロックの中柱（１０９）と柱形磁石（１０７）と外側導磁体（１０８）が軸方向に変位するとき、緩衝し、
上述した柱形磁石（１０７）は外側磁石（１１７）が軸方向に往復振動し、環状の発電コイル（１０４）を通過するとき、環状の発電コイル（１０４）が発電効果を発揮し、
整流充電回路（３００）は、環状の発電コイル（１０４）の発電電気エネルギーを整流し、蓄電装置（３１０）に対して電気エネルギーを注入する回路装置であり、電気機械や固体電子素子や整流装置により構成され、
蓄電装置（３１０）は、充放電可能な二次電池またはスパーキャパシタまたはコンデンサにより構成され、整流充電回路（３００）から来る電気エネルギーを貯蔵し、または正極の入出力端（４１０）や負極の入出力端（４２０）により電気エネルギーを入力し、
正極の入出力端（４１０）は、ターミナルヘッド、端子、プラグ、または、ソケットにより構成され、ハウジング（１００）に設置され、整流充電回路（３００）の正極端に接続され、外部に対して出力し、または電気エネルギーを入力し、
負極の入出力端（４２０）は、ターミナルヘッド、端子、プラグ、または、ソケットにより構成され、ハウジング（１００）に設置され、整流充電回路（３００）の負極端に接続され、外部に対して出力し、または電気エネルギーを入力し、
ハウジング（１００）のハウジング内部の円筒空間（１１４）とモーションブロックアセンブリ（１０６）の周辺を相対的に軸方向に変位させ、かつモーションブロックアセンブリ（１０６）とハウジング（１００）の内部にある円筒空間（１１４）に内壁との間に第二バッファー体（１１３）を設置し、モーションブロックアセンブリ（１０６）が軸方向に変位するとき、緩衝し、
外側磁石（１１７）と柱形磁石（２０７）は、環状の発電コイル（１０４）の磁極面に相対して同極性であることを含むことを特徴とする請求項１に記載の振動発電可能な蓄電装置。
【請求項３】
柱形磁石（１０７）と外側磁石（１１７）は、環状の発電コイル（１０４）の磁極面と相対的に異なる極性であることを含むことを特徴とする請求項２に記載の振動発電可能な蓄電装置。
【請求項４】
複数段の環状の発電コイル（１０４）、（２０４）により構成され、環状の発電コイル（１０４）、（２０４）の内部で柱形磁石（１０７）、（２０７）とカップリングし、外部で外側導磁体（１０８）、（２０８）とカップリングし、
ハウジング（１００）は、弱導磁性および弱導電性材料により構成され、中空の円筒形を呈し、かつ内部の一端は内部に向かって一つの環状巻線コネクタ（１０１）を延伸し、その末端は延伸して環状の発電コイル（１０４）と結合し、更に環状巻線コネクタ（２０１）と結合し、また延伸して環状の発電コイル（２０４）と結合し、その環状巻線コネクタ（１０１）とハウジング（１００）の内孔との間に環状空間（１０３）を備え、環状の発電コイル（１０４）、（２０４）を並列接続し、または直列接続することにより発電電圧を加え、出力導線（１０５）を設けることにより、環状の発電コイル（１０４）、（２０４）の発電電気エネルギーを整流充電回路（３００）へ伝送し、更に整流充電回路（３００）の出力端により蓄電装置（３１０）の陽極端へ伝送し、また蓄電装置（３１０）の正極端によりハウジング（１００）に設置される正極の入出力端（４１０）と負極の入出力端（４２０）へ伝送し、
モーションブロックアセンブリ（２０６）は、弱導磁性および弱導電性材料により構成され、モーションブロックのカップ構造（１１０）を備え、外側導磁体（１０８）と結合し、またカップ構造の分割リング（２１０）と再結合し、更に延伸して他の外側導磁体（２０８）と結合し、モーションブロックのカップ構造（１１０）の中にモーションブロックの中柱（１０９）と結合する柱形磁石（１０７）を設け、かつ他のモーションブロックの中柱（２０９）と結合し、更に延伸して他の柱形磁石（２０７）と結合し、かつモーションブロックの中柱（１０９）の周りはモーションブロックのカップ構造（１１０）とモーションブロック内部の環状空間（１１１）を形成することにより、環状の発電コイル（１０４）、（２０４）と環状巻線コネクタ（２０１）と環状巻線コネクタ（１０１）を相対的に軸方向に変位させ、かつ環状巻線コネクタ（１０１）と環状巻線コネクタ（２０１）の円孔状空間（１０２）と柱形磁石（１０７）、（２０７）、モーションブロックの中柱（１０９）、（２０９）を相対的に軸方向に変位させ、
環状巻線コネクタ（１０１）の円孔状空間（１０２）とハウジング（１００）内壁との間に第一バッファー体（１１２）を設置し、モーションブロックの中柱（１０９）、（２０９）と柱形磁石（１０７）、（２０７）と外側導磁体（１０８）、（２０８）が軸方向に変位するとき、緩衝し、
上述した柱形磁石（１０７）と他の柱形磁石（２０７）を通して他のモーションブロックの中柱（２０９）を隔てる間隔と環状の発電コイル（１０４）と他の環状の発電コイル（２０４）を通して環状巻線コネクタ（２０１）を隔てる間隔は、柱形磁石（１０７）と柱形磁石（２０７）と外側導磁体（１０８）と外側導磁体（２０８）が軸方向に往復振動し、環状の発電コイル（１０４）と環状の発電コイル（２０４）を通過するとき、環状の発電コイル（１０４）と環状の発電コイル（２０４）が同位相の電圧を作り、
整流充電回路（３００）は、環状の発電コイル（１０４）と環状の発電コイル（２０４）の発電電気エネルギーを整流し、蓄電装置（３１０）に対して電気エネルギーを注入する回路装置であり、電気機械や固体電子素子や整流装置により構成され、
蓄電装置（３１０）は、充放電可能な二次電池またはスパーキャパシタまたはコンデンサにより構成され、整流充電回路（３００）から来る電気エネルギーを貯蔵し、または正極の入出力端（４１０）や負極の入出力端（４２０）により電気エネルギーを入力し、
正極の入出力端（４１０）は、ターミナルヘッド、端子、プラグ、または、ソケットにより構成され、ハウジング（１００）に設置され、整流充電回路（３００）の正極端に接続され、外部に対して出力し、または電気エネルギーを入力し、
負極の入出力端（４２０）は、ターミナルヘッド、端子、プラグ、または、ソケットにより構成され、ハウジング（１００）に設置され、整流充電回路（３００）の負極端に接続され、外部に対して出力し、または電気エネルギーを入力し、
ハウジング（１００）のハウジング内部の円筒空間（１１４）とモーションブロックアセンブリ（１０６）の周辺を相対的に軸方向に変位させ、かつモーションブロックアセンブリ（１０６）とハウジング（１００）の内部にある円筒空間（１１４）に内壁との間に第二バッファー体（１１３）を設置し、モーションブロックアセンブリ（１０６）が軸方向に変位するとき、緩衝することを特徴とする請求項１に記載の振動発電可能な蓄電装置。
【請求項５】
複数段の環状の発電コイル（１０４）、（２０４）により構成され、環状の発電コイル（１０４）、（２０４）の内部で柱形磁石（１０７）、（２０７）とカップリングし、環状の発電コイル（１０４）、（２０４）の外部で複数段の柱形磁石（１０７）と相対的に同じ極性である外側磁石（１１７）、（２１７）とカップリングし、
ハウジング（１００）は、弱導磁性および弱導電性材料により構成され、中空の円筒形を呈し、かつ内部の一端は内部に向かって一つの環状巻線コネクタ（１０１）を延伸し、その末端は延伸して環状の発電コイル（１０４）と結合し、更に環状巻線コネクタ（２０１）と結合し、また延伸して環状の発電コイル（２０４）と結合し、その環状巻線コネクタ（１０１）とハウジング（１００）の内孔との間に環状空間（１０３）を備え、環状巻線コネクタ（１０１）の中心に円孔状空間（１０２）を備え、環状の発電コイル（１０４）、（２０４）を並列接続し、または直列接続することにより発電電圧を加え、出力導線（１０５）を設けることにより、環状の発電コイル（１０４）、（２０４）の発電電気エネルギーを整流充電回路（３００）へ伝送し、更に整流充電回路（３００）の出力端により蓄電装置（３１０）の陽極端へ伝送し、また蓄電装置（３１０）の正極端によりハウジング（１００）に設置される正極の入出力端（４１０）と負極の入出力端（４２０）へ伝送し、
モーションブロックアセンブリ（２０６）は、弱導磁性および弱導電性材料により構成され、モーションブロックのカップ構造（１１０）を備え、外側磁石（１１７）と結合し、またカップ構造の分割リング（２１０）と再結合し、更に延伸して他の外側磁石（２１７）と結合し、モーションブロックのカップ構造（１１０）の中にモーションブロックの中柱（１０９）と結合する柱形磁石（１０７）を設け、かつ他のモーションブロックの中柱（２０９）と結合し、更に延伸して他の柱形磁石（２０７）と結合し、かつモーションブロックの中柱（１０９）の周りはモーションブロックのカップ構造（１１０）とモーションブロック内部の環状空間（１１１）を形成することにより、環状の発電コイル（１０４）、（２０４）と環状巻線コネクタ（２０１）と環状巻線コネクタ（１０１）を相対的に軸方向に変位させ、かつ環状巻線コネクタ（１０１）と環状巻線コネクタ（２０１）の円孔状空間（１０２）と柱形磁石（１０７）、（２０７）、モーションブロックの中柱（１０９）、（２０９）を相対的に軸方向に変位させ、
環状巻線コネクタ（１０１）の円孔状空間（１０２）とハウジング（１００）内壁との間に第一バッファー体（１１２）を設置し、モーションブロックの中柱（１０９）、（２０９）と柱形磁石（１０７）、（２０７）と外側磁石（１１７）、（２１７）が軸方向に変位するとき、緩衝し、
上述した柱形磁石（１０７）と他の柱形磁石（２０７）と外側磁石（１１７）と他の外側磁石（２１７）を通して他のモーションブロックの中柱（２０９）を隔てる間隔と環状の発電コイル（１０４）と環状の発電コイル（２０４）を通して環状巻線コネクタ（２０１）を隔てる間隔は、柱形磁石（１０７）と他の柱形磁石（２０７）と外側磁石（１１７）と他の外側磁石（２１７）が軸方向に往復振動し、環状の発電コイル（１０４）と環状の発電コイル（２０４）を通過するとき、環状の発電コイル（１０４）と環状の発電コイル（２０４）が同位相の電圧を作り、
整流充電回路（３００）は、環状の発電コイル（１０４）及び環状の発電コイル（２０４）の発電電気エネルギーを整流し、に対して蓄電装置（３１０）を注入する電気エネルギーの回路装置、電気機械及び固体電子素子及び整流装置により構成され、
整流充電回路（３００）は、環状の発電コイル（１０４）と環状の発電コイル（２０４）の発電電気エネルギーを整流し、蓄電装置（３１０）に対して電気エネルギーを注入する回路装置であり、電気機械や固体電子素子や整流装置により構成され、
蓄電装置（３１０）は、充放電可能な二次電池またはスパーキャパシタまたはコンデンサにより構成され、整流充電回路（３００）から来る電気エネルギーを貯蔵し、または正極の入出力端（４１０）や負極の入出力端（４２０）により電気エネルギーを入力し、
正極の入出力端（４１０）は、ターミナルヘッド、端子、プラグ、または、ソケットにより構成され、ハウジング（１００）に設置され、整流充電回路（３００）の正極端に接続され、外部に対して出力し、または電気エネルギーを入力し、
負極の入出力端（４２０）は、ターミナルヘッド、端子、プラグ、または、ソケットにより構成され、ハウジング（１００）に設置され、整流充電回路（３００）の負極端に接続され、外部に対して出力し、または電気エネルギーを入力し、
ハウジング（１００）のハウジング内部の円筒空間（１１４）とモーションブロックアセンブリ（１０６）の周辺を相対的に軸方向に変位させ、かつモーションブロックアセンブリ（１０６）とハウジング（１００）の内部にある円筒空間（１１４）に内壁との間に第二バッファー体（１１３）を設置し、モーションブロックアセンブリ（１０６）が軸方向に変位するとき、緩衝し、
柱形磁石（１０７）と他の柱形磁石（２０７）の二者は、環状の発電コイル（１０４）の磁極面に相対して、外側磁石（１１７）と他の外側磁石（２１７）に相対的に環状の発電コイル（２０４）の磁極面に相対して同極性であることを含むことを特徴とする請求項２に記載の振動発電可能な蓄電装置。
【請求項６】
柱形磁石（１０７）と外側磁石（１１７）は、環状の発電コイル（１０４）の磁極面に相対して、及び他の柱形磁石（２０７）と他の外側磁石（２１７）が他の環状の発電コイル（２０４）の磁極面に相対して異なる極性であることを含むことを特徴とする請求項５に記載の振動発電可能な蓄電装置。
【請求項７】
設置される柱形磁石（１０７）、柱形磁石（２０７）、環状の発電コイル（１０４）、環状の発電コイル（２０４）、外側導磁体（１０８）、外側導磁体（２０８）は、全て２個以上により構成されることを特徴とする請求項４に記載の振動発電可能な蓄電装置。
【請求項８】
設置される柱形磁石（１０７）、柱形磁石（２０７）、環状の発電コイル（１０４）、環状の発電コイル（２０４）、外側磁石（１１７）、外側磁石（２１７）は、全て２個以上により構成されることを特徴とする請求項５に記載の振動発電可能な蓄電装置。
【請求項９】
設置される柱形磁石（１０７）、柱形磁石（２０７）、環状の発電コイル（１０４）、環状の発電コイル（２０４）、外側磁石（１１７）、外側磁石（２１７）は、全て２個以上により構成されることを特徴とする請求項６に記載の振動発電可能な蓄電装置。
【請求項１０】
設置される柱形磁石（１０７）、柱形磁石（２０７）、外側導磁体（１０８）、外側導磁体（２０８）、全て２個以上により構成され、かつ環状の発電コイル（１０４）は１個により構成されることを特徴とする請求項４に記載の振動発電可能な蓄電装置。
【請求項１１】
設置される柱形磁石（１０７）、柱形磁石（２０７）、外側磁石（１１７）、外側磁石（２１７）は、全て２個以上により構成され、かつ環状の発電コイル（１０４）は１個により構成されることを特徴とする請求項５に記載の振動発電可能な蓄電装置。
【請求項１２】
設置される柱形磁石（１０７）、柱形磁石（２０７）、外側磁石（１１７）、外側磁石（２１７）は、全て２個以上により構成され、かつ環状の発電コイル（１０４）は１個により構成されることを特徴とする請求項６に記載の振動発電可能な蓄電装置。
【手続補正２】
【補正対象書類名】図面
【補正対象項目名】図３
【補正方法】変更
【補正の内容】
【図３】
2012205497.tif 000001
【手続補正３】
【補正対象書類名】図面
【補正対象項目名】図４
【補正方法】変更
【補正の内容】
【図４】
2012205497.tif 000002
【手続補正４】
【補正対象書類名】図面
【補正対象項目名】図６
【補正方法】変更
【補正の内容】
【図６】
2012205497.tif 000003
【手続補正５】
【補正対象書類名】図面
【補正対象項目名】図７
【補正方法】変更
【補正の内容】
【図７】
2012205497.tif 000004